(57)【要約】      （修正有）【課題】変形し難く最適な形状を保持できる枕を提供する。【解決手段】枕１０が床に接する面に配置されて平坦な芯材を収容した台部１４と、折り目１２を介して上記台部１４と連結され独立した袋を集合した部分とを備える。人の頭を乗せる部分の左右両側に、それぞれ縦に並べて２個ずつ、頬支持袋１８、１９が設けられ、人の頭を乗せる部分には、頬支持袋１８、１９に挟まれるように、縦に４個の袋が並ぶ。枕１０の中央の人の後頭部を乗せる部分には、長方形の２個の後頭部支持袋２２、２３が設けられる。後頭部支持袋２２、２３を挟む両側には、一方に台形の首支持袋２０が設けられ、他方に長方形の首支持袋２１が設けられる。各袋には、内部にフィラーを詰める窓が設けられている。【選択図】図１
0003171680.tif 000002
【実用新案登録請求の範囲】
【請求項１】
枕の床に接する面に配置されて平坦な芯材を収容した台部１４と、折り目１２を介して上記台部１４と連結され独立した袋を集合した部分とを備え、
上記の袋を集合した部分には、人の頭を乗せる部分の左右両側に、それぞれ縦に並べて２個ずつ、頬支持袋１８、１９が設けられ、
上記人の頭を乗せる部分には、上記頬支持袋１８、１９に挟まれるように、縦に４個の袋が並び、枕の中央の人の後頭部を乗せる部分には、長方形の２個の後頭部支持袋２２、２３が設けられ、後頭部支持袋２２、２３を挟む両側には、一方に台形の首支持袋２０が設けられ、他方に長方形の首支持袋２１が設けられており、
上記各袋には、内部にフィラー２６を詰める窓が設けられていることを特徴とする枕。
【請求項２】
請求項１に記載の枕において、
頬支持袋１８または頬支持袋１９のフィラー２６に香料を含む香り玉２７を混在させたことを特徴とする枕。
【請求項３】
請求項１または２に記載の枕において、
隣接する袋の境界に、台部に対して垂直な隔壁設け、この隔壁は、両方の袋にフィラーを詰めたとき、隣り合ういずれの袋の最大高さよりも低くなる高さに設定したことを特徴とする枕。
【請求項４】
請求項１乃至３のいずれかに記載の枕において、
台部に複数枚の高さ調整パッドを重ねて収容したことを特徴とする枕。
【請求項５】
請求項１乃至４のいずれかに記載の枕において、
暖かく感じる保温材料を使用したフィラーを冬用フィラーとし、冷たさを感じる熱吸収材料を使用したものを夏用フィラーとし、台形の首支持袋に冬用フィラーを収容し、四角形の首支持袋に夏用フィラーを収容したことを特徴とする枕。
【考案の詳細な説明】
【技術分野】
【０００１】
本考案は、利用者の体型に合わせることができる枕に関する。
【背景技術】
【０００２】
寝心地のよい枕は安眠を助長し健康増進の効果があると言われている。利用者の体型によって、最適な枕の高さが異なることから、高さ調節のできる各種の枕が開発されている（特許文献１）（特許文献２）。
【先行技術文献】
【特許文献】
【０００３】
【特許文献１】特許３８７３２２８号公報
【特許文献２】実用新案登録３１５４５６３号公報
【考案の概要】
【考案が解決しようとする課題】
【０００４】
既知の従来の技術には、次のような解決すべき課題があった。
仰向きに寝ている場合と横向きに寝ている場合でも快適な支持ができるように、枕の形状を整えることが好ましい。そのために、上記の特許文献では、枕を複数の袋による区画に分けて、袋の詰め物の量により枕の各部の高さや全体の形状の調整をしている。しかしながら、枕の詰め物は使用時に移動して、枕の形が変形する。従って、最適な高さや形状に設計をしても、使用しているうちに枕の形が変形して当初の効果が得られなくなる。また、仰向きに寝ることが多い利用者と、横向きに寝ることが多い利用者とでは、枕の変形の仕方も異なり、高さや形状の設定による予定した効果が十分に得られないという問題もあった。
上記の課題を解決するために、本考案は次のような枕を提供することを目的とする。
【課題を解決するための手段】
【０００５】
以下の構成はそれぞれ上記の課題を解決するための手段である。
〈構成１〉
枕の床に接する面に配置されて平坦な芯材を収容した台部１４と、折り目１２を介して上記台部１４と連結され独立した袋を集合した部分とを備え、上記の袋を集合した部分には、人の頭を乗せる部分の左右両側に、それぞれ縦に並べて２個ずつ、頬支持袋１８、１９が設けられ、上記人の頭を乗せる部分には、上記頬支持袋１８、１９に挟まれるように、縦に４個の袋が並び、枕の中央の人の後頭部を乗せる部分には、長方形の２個の後頭部支持袋２２、２３が設けられ、後頭部支持袋２２、２３を挟む両側には、一方に台形の首支持袋２０が設けられ、他方に長方形の首支持袋２１が設けられており、上記各袋には、内部にフィラー２６を詰める窓が設けられていることを特徴とする枕。
【０００６】
〈構成２〉
構成１に記載の枕において、頬支持袋１８または頬支持袋１９のフィラー２６に香料を含む香り玉２７を混在させたことを特徴とする枕。
【０００７】
〈構成３〉
隣接する袋の境界に、台部に対して垂直な隔壁設け、この隔壁は、両方の袋にフィラーを詰めたとき、隣り合ういずれの袋の最大高さよりも低くなる高さに設定したことを特徴とする枕。
【０００８】
〈構成４〉
台部に複数枚の高さ調整パッドを重ねて収容したことを特徴とする枕。
【０００９】
〈構成５〉
暖かく感じる材料を使用したフィラーを冬用フィラーとし、冷たさを感じる材料を使用したものを夏用フィラーとし、台形の首支持袋に冬用フィラーを収容し、四角形の首支持袋に夏用フィラーを収容したことを特徴とする枕。
【考案の効果】
【００１０】
〈構成１の効果〉
人の頭を乗せる部分が、後頭部を乗せる部分を含めて、頭の形状に合わせた４個の袋で構成されている。従って、各袋に十分な量のフィラーを詰めて変形し難く、最適な形状を保持できる枕が実現する。
〈構成２の効果〉
鼻に近い袋のフイラー２６に香り玉２７を混在させると、香りの効果を得ることができる。
〈構成３の効果〉
人の頭が枕に接する部分全体を、滑らかな曲線に近付けることができる。
〈構成４の効果〉
高さ調整パッドを出し入れすることで，、利用者は簡単に高さの微調整をすることができる。
〈構成５の効果〉
同じ枕で、向きを変えるだけで、冬用と夏用に適した使い方ができる。
【図面の簡単な説明】
【００１１】
【図１】実施例１の枕１０の平面図で、（ａ）は表面、（ｂ）は裏面を示す。
【図２】全ての袋にフィラーを詰めた状態の各部の縦断面図である。
【図３】枕１０の使用状態の平面図である。
【図４】後頭部の安定効果を示す枕１０各部の縦断面図である。
【図５】頬支持袋１９と首支持袋２１の隔壁３０を説明する側面図である。
【図６】台部１４の構成を説明する枕の側面図と高さ調整パッド３１の斜視図である。
【考案を実施するための形態】
【００１２】
以下、本考案の実施の形態を実施例毎に詳細に説明する。
【実施例１】
【００１３】
図１は、実施例１の枕１０の平面図で、（ａ）は表面、（ｂ）は裏面を示す。
図に示す枕１０は、中央の折り目１２で、裏面を内側にして２つ折りにして使用する。台部１４は、枕１０の床に接する面に設けられている。台部１４は、枕１０を布団やマットレス等の上に置いたときに、枕１０の下面を平坦に支持するための部分である。この台部１４は全体が袋状に構成され、内部に適当な厚みの平坦なプラスチック板等の芯材を収容し、硬さや高さを調整する。
【００１４】
折り目１２を介して台部１４と連結された部分は、上下２枚の布を図のように８区画に区切ることにより、それぞれ独立した袋を集合した構成になっている。各袋の裏面には、いずれもチャック等で開放できる窓１６が設けられている。窓１６を開けて、全ての袋に、それぞれ適当な量のフィラーを詰めることができる。
【００１５】
図１の実施例では、枕１０の左右両側に、それぞれ縦に並べて２個ずつ、頬支持袋１８、１９が設けられている。なお、左右対称で同じ機能を持つ袋には同一の符号を付した。また、これらの袋に挟まれるように、縦に４個の袋が並んでいる。上下端の袋は、首支持袋２０、２１である。首支持袋２０のは台形、首支持袋２１は長方形をしている。中央には長方形の２個の後頭部支持袋２２、２３が設けられている。
【００１６】
図２は、全ての袋にフィラーを詰めた状態の各部の縦断面図である。図３は、枕１０の使用状態の平面図である。
図２（ｇ）は、図１に示した８個の袋の平面図である。図２（ａ）はそのＡ−Ａ線に沿う縦断面図である。図２（ａ）はそのＡ−Ａ線に沿う縦断面図である。図２（ｂ）はそのＢ−Ｂ線に沿う縦断面図である。図２（ｃ）はそのＣ−Ｃ線に沿う縦断面図である。図２（ｄ）はそのＤ−Ｄ線に沿う縦断面図である。図２（ｅ）はそのＥ−Ｅ線に沿う縦断面図である。図２（ｆ）はそのＦ−Ｆ線に沿う縦断面図である。
【００１７】
図２（ｈ）はフィラー２６の一例を示す斜視図である。ゴムやプラスチックチューブが適する。外径が３ｍｍ〜１０ｍｍで、長さが５ｍｍ〜２０ｍｍの範囲のものが適する。湿気を含まず、枕１０ごとまる洗いが可能になる。袋ごとに使用するフィラー２６の硬さを選択して、最適な寝心地を得ることができる。
【００１８】
また、フィラー２６に香り玉２７を混ぜることができる。わずかな量で、例えば、アロマの香りを出すことができる。香り玉２７は直径５ｍｍ程度のプラスチックやセラミック玉に香料を含浸したものである。鼻の位置に近い頬支持袋１８や頬支持袋１９に、例えば、数個の香り玉２７を混入させ、後頭部支持袋２２や後頭部支持袋２３に近い場所に配置すると効果的である。
【００１９】
図の（ａ）〜（ｄ）に示すように、枕１０の左右両側にある頬支持袋１８や頬支持袋１９は、中央にある首支持袋２０や首支持袋２１よりも高くしてある。図３に示すように、この実施例の枕１０は、２種類の使い方ができる。図３（ａ）は、仰向きに寝ることが多い利用者の使用状態を示す。四角形の幅の広い首支持袋２１に首を乗せている。
【００２０】
一方、図３（ｂ）は、横向きに寝ることが多い利用者の使用状態を示す。首支持袋２０が台形になり、頬支持袋１８と首支持袋２０の境界が傾斜しているので、横向きに寝たときの頬を乗せ易い構造になっている。
【００２１】
図４は後頭部の安定効果を示す枕１０各部の縦断面図である。
図４（ａ）や（ｂ）に示すように、枕１０に頭と首を乗せた状態で、人の頭２８の最適な高さを測定して、首支持袋２１や頬支持袋１８に詰めるフィラー２６の量を選択する。首支持袋２１に比べて、左右の頬支持袋１９をやや高く設定する。
【００２２】
ここで、図４（ｄ）に示すように、人の頭２８の後頭部の状態を考える。この実施例の枕１０は、後頭部支持袋２２と後頭部支持袋２３で後頭部を均等に支える。後頭部の最も凸の部分が後頭部支持袋２２と後頭部支持袋２３の境界部分にくる。
【００２３】
これにより、図４（ｄ）に示すように、首支持袋２０と後頭部支持袋２２と後頭部支持袋２３と首支持袋２１とで、後頭部全体の丸みに沿った凹部を形成することができる。枕１０に頭を乗せると自然にこの状態になる。後頭部が沈み込むような枕１０では、枕１０の大きな変形を期待するので、フィラー２６を十分な量だけ詰めることができない。その結果、変形し易い枕１０になる。
【００２４】
この実施例の枕１０は、後頭部支持袋２２や後頭部支持袋２３の硬さを大きな変形が生じない程度にすることができる。台部１４と後頭部支持袋２２と後頭部支持袋２３の部分が大きく変形しないので、枕１０全体の形状も安定し、身体測定結果に基づいた最適な枕１０の高さや形状を維持できる。
【実施例２】
【００２５】
図５は、頬支持袋１９と首支持袋２１の隔壁３０を説明する側面図である。
図の（ａ）に示すように、この実施例では、隣接する頬支持袋１９と首支持袋２１の境界に、台部１４に対して垂直な方向の隔壁３０を設ける。図の頬支持袋１９にフィラーを詰めたときの最大高さはｈ１である。また、図の首支持袋２１にフィラーを詰めたときの最大高さはｈ２である。隔壁３０は、低いほうのｈ２よりも低い高さｈ３に設定しておく。一般的な首支持袋２１の高さよりやや低い高さｈ３を選んで設計すればよい。
【００２６】
即ち、隣り合う両方の袋にフィラーを詰めたときの、隔壁３０の高さを、いずれの袋の最大高さよりも低くなる高さに設定する。枕を構成する全ての袋の境界に、同様の隔壁３０を設けるとよい。図の（ｂ）は、隔壁を設けない場合の側面図である。両者を比較すると、実施例の枕は、人の頭が枕に接する部分の凹凸が小さく、滑らかな曲線に近付くので、より寝心地のよい形状を実現できる。
【実施例３】
【００２７】
図６は台部１４の構成を説明する枕の側面図と高さ調整パッド３１の斜視図である。
枕を使用する敷き布団やマットレスの固さによって、枕の高さが適正値に対して狂いを生じることがある。また、敷き布団に敷き毛布等を重ねたとき，枕の高さが微妙に変化することがある。この場合に、図に示すように、台部１４に複数枚の高さ調整パッド３１を重ねて収容しておく。例えば、厚みが数ｍｍのウレタンシート等を使用するとよい。利用者は、高さ調整パッド３１を出し入れして、その枚数を選択して、高さを微調整するとよい。
【実施例４】
【００２８】
図２（ｈ）を用いて説明したフィラー２６には、暖かく感じる保温材料を成型したものと、冷たさを感じる熱吸収材料を成型したものがある。前者には、トルマリンを混合した樹脂製のものが適する。後者には、２５度程度に温度を保持するマイクロカプセルを練り込んだ樹脂製のものが適する。暖かく感じる材料を使用したフィラーを冬用フィラーとし、冷たさを感じる材料を使用したものを夏用フィラーとし、台形の首支持袋２０に冬用フィラーを収容し、四角形の首支持袋２１に夏用フィラーを収容する。
【００２９】
即ち、冬は図３（ｂ）のように、台形の首支持袋２０を使用し、夏は図３（ａ）のように四角形の首支持袋２１を使用する。台形の首支持袋２０のほうが、四角形の首支持袋２１と比較して首の廻りの隙間が少なく、防寒機能が高いといえる。これに加えてフィラーの暖かさにより、冬が快適に過ごせる。また、四角形の首支持用袋２１を使用したときは、左右の頬支持用袋１９が離れているので、風通しが良い。また、四角形の首支持用袋２１の有効面積が広いので、場所を変えて首を冷やし易いという効果がある。
【符号の説明】
【００３０】
１０  枕
１２  折り目
１４  台部
１６  窓
１８  頬支持袋
１９  頬支持袋
２０  首支持袋
２１  首支持袋
２２  後頭部支持袋
２３  後頭部支持袋
２６  フィラー
２７  香り玉
２８  人の頭
３０  隔壁
３１  高さ調整パッド
【図１】
0003171680.tif 000003
【図２】
0003171680.tif 000004
【図３】
0003171680.tif 000005
【図４】
0003171680.tif 000006
【図５】
0003171680.tif 000007
【図６】
0003171680.tif 000008